(57)【要約】【課題】発射領域と遊技領域とを前後に重層させて遊技領域の拡大化を図り、発射領域の先端に連絡通路を設けて発射球を遊技領域へ導くようにしても、ムラ飛び現象が発生し難い遊技機を提供する。【解決手段】発射領域と傾斜流路の一側部に、発射球を沿わせて遊技領域８へ誘導するバンド状の誘導部材１８を設け、誘導部材１８は、発射球の上昇方向を遊技領域８側へ向かう方向へ変化させるように当該誘導部材１８の後端縁１８ｒ側よりも前端縁１８ｆ側が発射領域と傾斜流路の他側寄りに位置する方向に傾斜する第１傾斜部３４と、該第１傾斜部３４よりも上方に配置され、第１傾斜部３４により変化した発射球の上昇方向を遊技領域８に沿う方向へ変化させるように当該誘導部材１８の後端縁１８ｒ側よりも前端縁１８ｆ側が発射領域と傾斜流路の一側寄りに位置する方向に傾斜する第２傾斜部３５とを備えた。【選択図】図７
2008023143.tif 000002
【特許請求の範囲】
【請求項１】
発射位置から発射された発射球が通過する発射領域と、遊技盤の表面に区画形成され、発射領域を通過した発射球が到達してから流下する途中で遊技を行う遊技領域と、を前後に重層させ、発射領域と遊技領域とを平板状の透明部材で前方から覆い、発射領域の先端に、上昇するにつれて遊技領域側に近づく方向に傾斜した前後傾斜面を有する傾斜流路を接続し、該傾斜流路の終端を遊技領域に接続させた遊技機において、
少なくとも前記発射領域と傾斜流路の一側部に、発射球を沿わせて前記遊技領域へ誘導するバンド状の誘導部材を設け、
該誘導部材は、
発射球の上昇方向を遊技領域側へ向かう方向へ変化させるように当該誘導部材の後端縁側よりも前端縁側が発射領域と傾斜流路の他側寄りに位置する方向に傾斜する第１傾斜部と、
該第１傾斜部よりも上方に配置され、第１傾斜部により変化した発射球の上昇方向を遊技領域に沿う方向へ変化させるように当該誘導部材の後端縁側よりも前端縁側が発射領域と傾斜流路の一側寄りに位置する方向に傾斜する第２傾斜部と、
を備えたことを特徴とする遊技機。
【請求項２】
前記誘導部材は、当該誘導部材の前端縁側を後端縁側の正面に配置して誘導維持部とし、この誘導維持部を第２傾斜部の上方に備え、発射領域内を上昇する発射球の前後移動方向を維持するようにしたことを特徴とする請求項１に記載の遊技機。
【請求項３】
前記発射領域内を上昇する発射球が誘導部材に当たる当接位置を傾斜流路の傾斜面よりも発射位置側に設定したことを特徴とする請求項１または請求項２に記載の遊技機。
【請求項４】
前記透明部材は、平板を前方に凹ませた凹部を有し、該凹部によって発射領域および傾斜流路を覆うように構成するとともに、凹部の側壁に沿わせて誘導部材を設け、
前記凹部の側壁は、誘導部材の当接位置と対向する部分を外方に凹ませることにより、誘導部材との間に空隙部を形成したことを特徴とする請求項１から請求項３のいずれかに記載の遊技機。
【請求項５】
前記第２傾斜部の始端を傾斜流路の終端よりも発射位置側に設定したことを特徴とする請求項１から請求項４のいずれかに記載の遊技機。
【発明の詳細な説明】
【技術分野】
【０００１】
本発明は、遊技球を発射装置から発射し、この発射球を発射領域から遊技領域へ案内するパチンコ遊技機等の遊技機に関する。
【背景技術】
【０００２】
従来の遊技機（例えば、パチンコ機）は、遊技盤における遊技領域の側方に、発射装置から発射された発射球を遊技領域に誘導する発射領域が同一平面上に並べて設けられていた。また、遊技盤には、識別情報の変動表示を行う変動表示装置が設けられ、始動条件の成立により変動表示装置を変動表示して該変動表示の停止結果が特定態様となると、特別遊技状態を発生することにより遊技の興趣を高めている。そして、近時は、変動表示装置が大型化しており、遊技領域として充分な面積を確保することが困難になりつつある。そこで、遊技領域の面積を確保するために、特許文献１に開示された遊技機では、発射領域と遊技領域とを前後に重層させ、発射領域の先端に前後方向（遊技領域側）に傾斜する連絡通路を設け、発射領域を通過した遊技球を連絡通路の前後内壁部に沿わせながら遊技領域へ導くように構成している。
【特許文献１】特開２００４−２０８８１５号公報
【発明の開示】
【発明が解決しようとする課題】
【０００３】
しかし、上記特許文献に記載の遊技機においては、発射球を連絡通路の前後内壁部に沿わせて遊技領域に導いているため、発射球が連絡通路の前後内壁部に衝突してしまい、この衝突により遊技球の滑らかな誘導が阻害されて所謂ムラ飛び（遊技球が一定の強さで遊技領域に到達しない現象）を生じ、遊技の興趣を減殺することになる。
【０００４】
そこで、本発明は、上記の事情に鑑みてなされたものであり、その目的は、発射領域と遊技領域とを前後に重層させて遊技領域の拡大化を図り、発射領域の先端に連絡通路を設けて発射球を遊技領域へ導くようにしても、ムラ飛び現象が発生し難い遊技機を提供しようとするものである。
【課題を解決するための手段】
【０００５】
本発明は、上記目的を達成するために提案されたものであり、請求項１に記載のものは、発射位置から発射された発射球が通過する発射領域と、遊技盤の表面に区画形成され、発射領域を通過した発射球が到達してから流下する途中で遊技を行う遊技領域と、を前後に重層させ、発射領域と遊技領域とを平板状の透明部材で前方から覆い、発射領域の先端に、上昇するにつれて遊技領域側に近づく方向に傾斜した前後傾斜面を有する傾斜流路を接続し、該傾斜流路の終端を遊技領域に接続させた遊技機において、
少なくとも前記発射領域と傾斜流路の一側部に、発射球を沿わせて前記遊技領域へ誘導するバンド状の誘導部材を設け、
該誘導部材は、
発射球の上昇方向を遊技領域側へ向かう方向へ変化させるように当該誘導部材の後端縁側よりも前端縁側が発射領域と傾斜流路の他側寄りに位置する方向に傾斜する第１傾斜部と、
該第１傾斜部よりも上方に配置され、第１傾斜部により変化した発射球の上昇方向を遊技領域に沿う方向へ変化させるように当該誘導部材の後端縁側よりも前端縁側が発射領域と傾斜流路の一側寄りに位置する方向に傾斜する第２傾斜部と、
を備えたことを特徴とする遊技機である。
【０００６】
請求項２に記載のものは、前記誘導部材は、当該誘導部材の前端縁側を後端縁側の正面に配置して誘導維持部とし、この誘導維持部を第２傾斜部の上方に備え、発射領域内を上昇する発射球の前後移動方向を維持するようにしたことを特徴とする請求項１に記載の遊技機である。
【０００７】
請求項３に記載のものは、前記発射領域内を上昇する発射球が誘導部材に当たる当接位置を傾斜流路の傾斜面よりも発射位置側に設定したことを特徴とする請求項１または請求項２に記載の遊技機である。
【０００８】
請求項４に記載のものは、前記透明部材は、平板を前方に凹ませた凹部を有し、該凹部によって発射領域および傾斜流路を覆うように構成するとともに、凹部の側壁に沿わせて誘導部材を設け、
前記凹部の側壁は、誘導部材の当接位置と対向する部分を外方に凹ませることにより、誘導部材との間に空隙部を形成したことを特徴とする請求項１から請求項３のいずれかに記載の遊技機である。
【０００９】
請求項５に記載のものは、前記第２傾斜部の始端を傾斜流路の終端よりも発射位置側に設定したことを特徴とする請求項１から請求項４のいずれかに記載の遊技機である。
【発明の効果】
【００１０】
本発明によれば、以下のような優れた効果を奏する。
請求項１に記載の発明によれば、少なくとも前記発射領域と傾斜流路の一側部に、発射球を沿わせて前記遊技領域へ誘導するバンド状の誘導部材を設け、該誘導部材は、発射球の上昇方向を遊技領域側へ向かう方向へ変化させるように当該誘導部材の後端縁側よりも前端縁側が発射領域と傾斜流路の他側寄りに位置する方向に傾斜する第１傾斜部と、該第１傾斜部よりも上方に配置され、第１傾斜部により変化した発射球の上昇方向を遊技領域に沿う方向へ変化させるように当該誘導部材の後端縁側よりも前端縁側が発射領域と傾斜流路の一側寄りに位置する方向に傾斜する第２傾斜部とを備えたので、発射領域を上昇する発射球が遊技盤や透明部材に衝突する不都合を抑えることができ、発射球を遊技領域へ円滑に誘導することができる。したがって、発射球の所謂ムラ飛び現象の発生を抑制することができ、安定した飛距離と方向で発射操作できる。これにより、遊技の興趣の減殺を阻止することができる。また、発射球が衝突して遊技盤が損傷する不都合、または透明部材が損傷する不都合を抑制することができる。
【００１１】
請求項２に記載の発明によれば、誘導部材は、当該誘導部材の前端縁側を後端縁側の正面に配置して誘導維持部とし、この誘導維持部を第２傾斜部の上方に備え、発射領域内を上昇する発射球の前後移動方向を維持するようにしたので、第２傾斜部により遊技領域に沿う方向へ誘導された発射球がその前後移動方向へ余計な変化を加えられることがない。したがって、安定した状態で遊技領域に発射球を誘導することができる。
【００１２】
請求項３に記載の発明によれば、発射領域内を上昇する発射球が誘導部材に当たる当接位置を傾斜流路の傾斜面よりも発射位置側に設定したので、発射球が傾斜流路の傾斜面に衝接するよりも前に誘導部材に当り、その後は誘導部材に誘導されながら上昇方向を変えて遊技領域内に飛入することになる。したがって、発射球の所謂ムラ飛び現象の発生を抑制することができ、安定した飛距離と方向で発射操作できる。
【００１３】
請求項４に記載の発明によれば、透明部材は、平板を前方に凹ませた凹部を有し、該凹部によって発射領域および傾斜流路を覆うように構成するとともに、凹部の側壁に沿わせて誘導部材を設け、凹部の側壁は、誘導部材の当接位置と対向する部分を外方に凹ませることにより、誘導部材との間に空隙部を形成したので、透明部材の強度を凹部によって高めることができる。また、凹部の側壁における誘導部材の当接位置と対向する部分が空部となる。したがって、側壁が直接に発射球の衝撃力を受けるのではなく、この凹部の上方または下方の壁面で衝撃力を分散して受けることができ、これにより側壁に伝わる衝撃を和らげることができる。また、両側の壁面同士が単に離れているのでなく、誘導部材との間に空隙部を形成するように凹んでいるので、透明部材に凹部を形成したことにより増した強度を損なうことなく、発射球の衝撃力を凹部全体で受けることができ、透明部材の耐久性が向上する。
【００１４】
請求項５に記載の発明によれば、第２傾斜部の始端を傾斜流路の終端よりも発射位置側に設定したので、遊技盤に衝突する前に、発射球の上昇方向を遊技領域に沿う方向へ変化させることができる。したがって、発射球のムラ飛び現象の発生を一層抑制することができるとともに、遊技盤に発射球が衝突して損傷する不都合を抑えることができる。
【発明を実施するための最良の形態】
【００１５】
以下、代表的な遊技機であるパチンコ遊技機を例に挙げて本発明の実施の最良の形態を図面に基づき説明する。図１は前面側を開放した状態のパチンコ遊技機の斜視図である。
パチンコ遊技機１は、外枠（機枠あるいは本体枠）２に前面枠（内枠）３を開閉可能に軸着し、この前面枠３のベースとなる略額縁状の前面枠本体４に矩形状の遊技盤５を収納可能とし、遊技盤５の表面には、区画部材（サイドケース）７を配置して略円形状の遊技領域８を区画形成し、該遊技領域８内に表示装置や入賞口等の役物（いずれも図示せず）を配設し、遊技領域８の上部から流下してくる遊技球が入賞口等に入賞するかにより遊技を行えるように構成してある。また、前面枠３の前面側には、一側（図１中、右側）が軸着された透明部材保持枠９を開閉（回動）可能に設け、該透明部材保持枠９に透視可能な透明部材ユニット１０を収納し、透明部材ユニット１０の一側には、遊技球を遊技領域８内へ案内するための縦長な発射領域（発射案内路）１１を形成している。そして、透明部材保持枠９を閉じると、遊技盤５が透明部材保持枠９により覆われるとともに、透明部材ユニット１０に設けられた平板状の透明部材１２と発射領域１１とが遊技領域８の前方に配置（重層）され、発射領域１１と遊技領域８とを透明部材１２で前方から覆う状態に設定され、透明部材１２を通して発射領域１１の後方に重層された遊技領域８も含めてすべての遊技領域８を前方から視認できるように構成している。なお、発射領域１１の後方開口は、透明部材保持枠９を閉じると、区画部材７の前面７′により下半部分が塞がれる。
【００１６】
さらに、透明部材保持枠９の下方には、一側（図１中、右側）が軸着された横長な貯留皿ユニット１４を開閉（回動）可能に備え、該貯留皿ユニット１４の側方（図１中、右側方）には、後述する発射装置１５を操作するための発射操作ユニット（発射操作ハンドル）１６を備えている。
【００１７】
透明部材保持枠９は、図２に示すように、大きな開口部を開設した合成樹脂製の枠体であり、大きな開口部内に透明部材ユニット１０を裏側から嵌装してある。透明部材ユニット１０は、図３および図４に示すように、透明な合成樹脂板を略馬蹄形に成形するとともに一側に縦長な溝状の発射領域１１を一体成形した透明部材１２と、発射領域１１内の一側部に縦方向に取り付けたバンド状の誘導部材１８と、該誘導部材１８の裏側に設けた背当て部材２０とから概略構成されている。発射領域１１は、透明部材１２の裏面側から前方の表側に凹ませた断面コ字状の溝（凹部）であり、溝の深さ（透明部材１２の裏面から溝の底までの空間の寸法）は遊技球の直径よりも少し大きな寸法に設定され、また、左右幅は、下端が最も幅広であって、上昇するに従って次第に幅員が減少し、幅狭となった上部であって次第に円弧状に湾曲した部分（発射領域１１の先端）においては溝の底面に相当する面が前後傾斜面２１として形成され、上昇するにつれて遊技領域８側に近づく方向に傾斜しており、この部分が傾斜流路２５として機能し、その終端が遊技領域８に接続している。そして、本実施形態では、発射領域１１の幅員を次第に減少させるために、外側に位置する溝内面（側壁の内面）はほぼ垂直に起立した状態で形成し、この溝内面とは反対側の溝内面、すなわち遊技領域８の中央に近い側の溝内面を、上昇するに従って反対側の溝内面に近づけることで幅員が次第に狭くなるように形成している。また、発射領域１１の上半部分と傾斜流路２５の一側部（外側の溝内面）に、発射球を沿わせて遊技領域８に向けて誘導するバンド状の誘導部材１８を設けてある。
【００１８】
誘導部材１８は、ステンレスバンド等の金属帯板材により作製されて弾性を有しており、その上端と下端には円弧の外側にコ字状に屈曲した引っ掛け止着部１８ａ，１８ｂを形成し、図５および図６に示すように、上端の引っ掛け止着部１８ａを傾斜流路２５の先方に形成したコ字状の嵌合溝部２６内に嵌合し、下端の引っ掛け止着部１８ｂをレバー状に成形された弾力調整部材２７の嵌合溝部２８内に嵌合してカバー２７′を被せ、この弾力調整部材２７を、外側の溝内面の途中に形成した切欠部２９内の止着部３０に回動可能に軸着した状態で発射領域１１の一側に装着されている。したがって、弾力調整部材２７の回動角度を調整すると、誘導部材１８の張り具合を調整することができ、背後に配設した背当て部材２０への押圧を調整でき、これにより誘導部材１８は、弾力を調節した状態で発射領域１１の一側に装着される。なお、弾力調整部材２７は、自由端側の孔３１内に挿通したピン（図示せず）を、切欠部２９側に開設された複数の止着調整孔３２のいずれに差し込んで止着するかによって誘導部材１８の張り具合を段階的に調整することができる構成を採っているが、誘導部材１８の弾力を調整することができればどのような構成でも良い。
【００１９】
また、このようにして円弧状に装着した誘導部材１８は、発射球の上昇方向（移動方向）を変化させながら誘導できるように、図７に示すように、僅かに捩れた状態に設定されている。具体的に説明すると、誘導部材１８のうち発射装置１５側に位置する下側部分においては、誘導部材１８の取付基端縁側である後端縁１８ｒ側よりも先端縁側である前端縁１８ｆ側が遊技領域８の中央側、すなわち、発射領域１１と傾斜流路２５の他側寄りに位置する傾斜状態に設定して第１傾斜部３４を形成している。したがって、第１傾斜部３４では、後端縁１８ｒ側の半径Ｒｒが前端縁１８ｆ側の半径Ｒｆよりも大きく設定されている。また、発射領域１１内を勢い良く上昇して発射球が第１傾斜部３４に当って、その後、当該発射球が第１傾斜部３４に沿って上昇するにつれて、その上昇方向を遠心力によって遊技領域８側（すなわち後側）へ向かう方向へ変化させるように構成されている。
【００２０】
さらに、誘導部材１８のうち第１傾斜部３４よりも上方の上側部分においては、誘導部材１８の後端縁１８ｒ側よりも前端縁１８ｆ側が遊技領域８の外方、すなわち発射領域１１と傾斜流路２５の一側寄りに位置する傾斜状態、言い換えると、第１傾斜部３４の傾斜姿勢とは反対の傾斜姿勢に設定して第２傾斜部３５を形成している。したがって、第２傾斜部３５では、前端縁１８ｆ側の半径Ｒｆが後端縁１８ｒ側の半径Ｒｒよりも大きく設定されている。また、下方の第１傾斜部３４に沿って上昇したことにより変化した発射球の上昇方向を遊技領域８（具体的には、遊技領域８が区画形成される遊技盤５の表面）に沿う方向へ変化させるように構成されている。なお、第２傾斜部３５は、図１１に示すように、その始端（下端）ｓを傾斜流路２５の終端ｅよりも下方の発射装置１５側（後述の発射位置側）に設定している。
【００２１】
そして、第２傾斜部３５よりも上方に位置する先端部、詳しくは、第２傾斜部３５から上端の引っ掛け止着部１８ａまでの間においては、誘導部材１８の前端縁１８ｆ側を後端縁１８ｒ側の正面に配置、言い換えると、前端縁１８ｆ側の半径Ｒｆと後端縁１８ｒ側の半径Ｒｒとを等しく設定して誘導維持部３６を形成している。したがって、下方の第２傾斜部３５に沿って上昇したことにより変化した発射球の移動方向（上昇方向）のうち、前後へ移動する方向（前後移動方向）を維持できるように構成されている。なお、第１傾斜部３４と第２傾斜部３５との境界部分においても、誘導部材１８の前端縁１８ｆ側を後端縁１８ｒ側の正面に配置、言い換えると、前端縁１８ｆ側の半径Ｒｆと後端縁１８ｒ側の半径Ｒｒとを等しく設定している。
【００２２】
また、この誘導部材１８を設ける範囲は、発射領域１１の外側の溝内面の略垂直部分のほぼ半分から上の部分であり、図８に示すように、後述する発射装置１５による発射動作によって発射された発射球が発射領域１１内を垂直方向に上昇して誘導部材１８に当たる当接位置Ｐ１を、第１傾斜部３４で遊技領域８側への誘導を行わなかった場合における傾斜流路２５の前後傾斜面２１の仮想当接点Ｐ０よりも下方、すなわち後述の発射位置側に設定してある。したがって、本発明における発射球は、傾斜流路２５のＰ０で前後傾斜面２１に当たるよりも先に当接位置Ｐ１で誘導部材１８に当り、これにより発射球は第１傾斜部３４と誘導部材１８の弾力とで跳ね返されて遊技領域８側に円滑に誘導されながら上昇する。この円滑な誘導が行われるため、発射装置１５により発射された発射球が遊技領域８内に飛入する位置が安定し、所謂ムラ飛び現象の発生を抑制することができる。さらに、誘導部材１８は、弾性を有し、且つその弾性力を調整可能としたので、発射球が接触した時の大きすぎる跳ね返りを抑制して過不足のない跳ね返りに設定することができ、これによりムラ飛び現象の発生を一層確実に抑制することができる。
【００２３】
さらに、図３および図１０（ｂ）に示すように、誘導部材１８を沿わせて設けた溝内面（側壁の内面）のうち、発射球が接触する誘導部材１８（詳しくは第１傾斜部３４）の当接位置Ｐ１の外側部分であってその下方から上方に亘る範囲、換言すると、誘導部材１８の当接位置Ｐ１と対向する側壁の一部を外方に凹ませることにより、誘導部材１８との間に空隙部４０を形成する。このように、誘導部材１８の外側に空隙部４０を形成すると、凹部の側壁における誘導部材１８の当接位置Ｐ１と対向する部分が空部となるので、側壁が直接に発射球の衝撃力を受けるのでなく、この凹部の上方または下方の壁面で衝撃力を分散して受けることができる。したがって、側壁に伝わる衝撃を和らげることができる。また、両側の壁面同士が単に離れているのでなく、誘導部材１８との間に空隙部４０を形成するように凹んでいるので、透明部材１２に凹部を形成したことにより増した強度を損なうことなく、発射球の衝撃力を凹部全体で受けることができ、透明部材１２の耐久性が向上する。また、誘導部材１８の外側に円弧状の空隙部４０を形成しておくと、誘導部材１８が撓み易くなり、発射球を柔らかく受けることができる。
【００２４】
前面枠本体４は、矩形状の開口部を上寄りに開設した合成樹脂製枠体であり、図１に示すように、開口部の周縁に額縁状の遊技盤収納部４２を備え、遊技盤収納部４２内に遊技盤５を着脱可能な状態で収納するように構成されている。また、遊技盤収納部４２の下方にボード部４３を備え、該ボード部４３の上端に遊技盤載置部（図示せず）を設け、該遊技盤載置部上に遊技盤５の下端を載置することで、遊技盤５の上下方向の位置を規制できるように構成されている。さらに、ボード部４３の一側寄り（図１中、左寄り）の上部には、前面枠本体４の裏側の球排出装置（図示せず）から供給される賞球あるいは貸球としての遊技球を貯留皿ユニット１４へ排出する球排出口４４を開設している。そして、ボード部４３の他側寄り（図１中、右寄り）、すなわち発射操作ユニット１６寄りの位置には、貯留皿ユニット１４の自由端部を係止可能なロック係止受部４５を設け、該ロック係止受部４５に貯留皿ユニット１４の自由端部を係止して貯留皿ユニット１４を前面枠本体４に対して閉状態に維持できるように構成されている。
【００２５】
貯留皿ユニット１４は、遊技球を貯留し、この貯留した遊技球を弾発して遊技盤５の遊技領域８へ発射するためのユニットであり、図１に示すように、横長なベースパネル（開閉部材）４８を備え、該ベースパネル４８の一端部（図１中、右端部）には、ベースパネル４８を前面枠本体４に対して開閉可能な状態で軸着する軸着部（ヒンジ部）４９を配置し、他側部（図１中、左側部）には、ロック係止受部４５に係止可能なロック係止部５０を配置している。また、ベースパネル４８の前面側には、遊技球を貯留可能な皿部材５２と、該皿部材５２の前側部およびベースパネル４８の前面側全体を覆うカバー部材５３とを配置している（図９参照）。さらに、ベースパネル４８の後面側には、球排出口４４から排出された遊技球（賞球または貸し球）、あるいは発射装置１５から発射されたが遊技領域８まで到達せずに発射領域１１を逆流してきた遊技球（ファール球）を流下させる横長な球流下樋５５と、該球流下樋５５の下流端に接続され、球流下樋５５を流下する遊技球を貯留皿ユニット１４の下方へ抜き出す球抜機構５６（図１参照）と、皿部材５２に貯留された遊技球を遊技領域８へ向けて発射する発射装置１５とを配置している。
【００２６】
なお、球流下樋５５は、図９に示すように、その上流部（図９中、右側部）を発射装置１５の上方に配置し、この上流部の前後幅を下流部の前後幅よりも広く設定して略箱状の球受部５６を形成し、該球受部５６の後部に球受開口５７を開設して、球受開口５７と球排出口４４とが連通、すなわち球流下樋５５と球排出口４４とが連通するように構成されている。また、球受部５６の上部を開放して発射領域１１の下端に連通し、発射領域１１を逆流してきたファール球を球受部５６に受け入れるように構成されている。さらに、球受部５６の底部には、発射装置１５と発射領域１１とを連通（接続）する発射接続路５８を上下に貫通する状態で配置している。
【００２７】
そして、図１に示すように、ベースパネル４８の上側のうち自由端寄り、すなわち軸着部４９とは反対寄りの部分には、前後に貫通する流下開口（図示せず）を開設し、球流下樋５５をベースパネル４８の自由端側へ下り傾斜した状態、言い換えると球排出口４４の前方から流下開口へ向けて下り傾斜した状態で設定し、流下開口を介して皿部材５２の内側（詳しくは皿部材５２の内側の上部）と球流下樋５５の下流端とを連通している。また、貯留皿ユニット１４は、球排出口４４から排出された遊技球（賞球あるいは貸球）を球流下樋５５、流下開口、皿部材５２を経て発射装置１５へ供給するように構成されている。
【００２８】
次に、発射装置１５について説明する。
貯留皿ユニット１４の裏側に装着された発射装置１５は、図９に示すように、当該発射装置１５の基部となる発射ベース６２と、当該発射装置１５に供給された遊技球を往復回動動作により弾発する打球発射杵６３と、該打球発射杵６３を駆動するロータリーソレノイド等の回動駆動源（図示せず）と、打球発射杵６３の回動範囲を規制する回動規制部６５と、打球発射杵６３に接続されてその動きを球送り部材６６に伝えて連動させるリンク機構６７とを備えて構成され、後方に位置する前面枠本体４のボード部４３に対向する状態で配置されている。
【００２９】
発射ベース６２は、発射装置１５を貯留皿ユニット１４へ取り付けるための後方開放箱状の部材であり、その内部に打球発射杵６３および回動規制部６５を収容している。また、発射ベース６２の前側にはロータリーソレノイドを配置し、該ロータリーソレノイドの出力軸（発射回動軸）５８を当該発射ベース６２の中央部分よりも上寄りの位置を貫通して後方へ突出し、発射回動軸６８の先端（後端）に打球発射杵６３を軸着している。
【００３０】
また、発射ベース６２の後面側のうち発射回動軸６８の突出部分よりも上方には、遊技球を１個ずつ整列した状態で流下可能な球送り流路（整列路）６９を一側（図９中、右側）へ下り傾斜した姿勢で配置している。そして、球送り流路６９の上流端を前方へ延設してベースパネル４８を前後に貫通し、この貫通端部を皿部材５２の傾斜下端に接続し、遊技球を皿部材５２から球送り流路６９へ導入できるように構成されている。さらに、球送り流路６９の下流部（図９中、右側部）を下方へ屈曲し、この屈曲部に球送り部材６６を回動自在な状態で配置している。また、球送り流路６９の下流端の側方（図９中、右側方）には、球送り流路６９から供給された遊技球を１個保持可能な弾発球保持部７０を備え、該弾発球保持部７０に保持される遊技球の配置空間部を発射位置としている。そして、該弾発球保持部７０の下部を開放して後述する打球発射杵６３の弾発部６３′を発射位置へ下方から進入可能とし、弾発球保持部７０および発射位置の上方には、発射領域１１の下端と発射位置とを上下に連通可能な発射接続路５８を備え、遊技球が発射位置から発射接続路５８を介して透明部材保持枠９の発射領域１１へ飛翔できるように構成されている。
【００３１】
打球発射杵６３は、ロータリーソレノイドの発射回動軸６８に止着される軸着部分から縦長な杵部を発射位置側へ僅かに屈曲した状態で延設し、該杵部の先端部には、遊技球を弾発する弾発部６３′を発射位置側（右側）へ向けて突設している。そして、ロータリーソレノイドの駆動力により発射回動軸６８を揺動中心にして、弾発部６３′を発射位置へ向けて移動（回動）する第１動作と、自重により弾発部６３′を発射位置から離れる方向に戻り回動する第２動作とを行って揺動するように構成されている。さらに、打球発射杵６３のうち軸着部分（発射回動軸６８）を挟んで杵部と反対側には、回動規制部６５に衝突可能な発射ストッパー７１を杵部の延設方向とは異なる方向（杵部の延設方向から「へ」字状に屈曲した方向）へ向けて突設し、発射ストッパー７１および杵部を回動規制部６５に交互に係合（当接）することで、打球発射杵６３の回動範囲を規制するように構成されている。
【００３２】
回動規制部６５は、該打球発射杵６３と衝突して打球発射杵６３の回動動作を規制するための厚肉な円筒状の部材であり、衝撃を吸収し易い材料、例えばゴム材等の弾性体で形成されている。
【００３３】
このような構成からなる発射装置１５から遊技球が発射されると、この発射球は、発射位置から発射接続路５８を介して透明部材保持枠９の発射領域１１へ飛翔し、この発射領域１１内を上昇する（図１０（ａ）および図１１参照）。そして、前記したように、傾斜流路２５の前後傾斜面２１のＰ０よりも下方に設定した位置Ｐ１で誘導部材１８の第１傾斜部３４に、大きな入射角度（すなわち、誘導部材１８と僅かな角度で交差する状態）で接触し、その後は誘導部材１８の内面に沿って上昇する。この上昇時において、第１傾斜部３４が遊技領域８側に倒れた傾斜状態で装着されているので、発射球はこの第１傾斜部３４により遊技領域８側（後方）に案内される（図１０（ｂ）および図１１参照）。したがって、発射領域１１の上端部分に形成された前後傾斜面２１に当る前に遊技領域８側へ向けて案内されることとなる。これにより、遊技領域８内に飛入する位置が発射球ごとに大きくずれることを抑制でき、円滑に飛入させることができる。このため、遊技者の発射勢の調整行為を反映させた遊技となり、ムラ飛び現象による遊技の興趣の低下を防止することができる。
【００３４】
そして、発射球が前後傾斜面２１に衝突することなく傾斜流路２５を上昇して後方の遊技領域８へ近づき、この状態で第１傾斜部３４を通過して第２傾斜部３５へ移動すると、発射球は、第２傾斜部３５により遊技領域８側とは反対方向、すなわち遊技領域８から離れる方向（前方）へ案内される（図１０（ｃ）参照）。したがって、第２傾斜部３５との接触により、第１傾斜部３４の通過時に設定された移動方向、詳しくは前後へ移動する方向（前後移動方向）を修正し、図１１に示すように、遊技領域８（遊技盤５の表面）に対する入射角度を第１傾斜部３４の通過時よりも大きくなるように変更する。すなわち、発射球の飛翔軌道を前方へ引き起こして、発射球の移動方向と遊技盤５の表面とのなす角度を第１傾斜部３４の通過時よりも小さくする。また、第２傾斜部３５においては、その始端を傾斜流路２５の終端よりも発射位置側に設定しているので、遊技盤５に衝突する前に、発射球の上昇方向を遊技領域８に沿う方向へ変化させることができる。したがって、発射球のムラ飛び現象の発生を一層抑制することができるとともに、遊技盤５に発射球が衝突して損傷する不都合を抑えることができる。
【００３５】
この軌道修正状態で第２傾斜部３５を通過して誘導維持部３６へ移動すると、発射球は、修正された前後移動方向を維持しながら飛翔する（図１０（ｄ）参照）。したがって、誘導維持部３６を通過する際には、第２傾斜部３５により遊技領域８に沿う方向へ誘導された発射球がその前後移動方向へ余計な変化を加えられることがない。これにより、遊技領域８や透明部材１２に衝突せずに安定した状態で遊技領域８に発射球を誘導することができる。
【００３６】
このようにして発射球は、第１傾斜部３４、第２傾斜部３５および誘導維持部３６により前後移動方向を調整され、前方の透明部材１２の前後傾斜面２１や後方の遊技盤５の表面に衝突する不都合を押えながら上昇し、最終的には誘導維持部３６を通過して遊技領域８内へ飛入する。したがって、発射球を遊技領域８へ円滑に誘導することができる。したがって、発射球の所謂ムラ飛び現象の発生を抑制することができ、安定した飛距離と方向で発射操作できる。これにより、遊技の興趣の減殺を阻止することができる。また、発射球が衝突して遊技盤５が損傷する不都合、または透明部材１２が損傷する不都合を抑制することができる。
【００３７】
そして、第２傾斜部３５による発射球の移動調整で遊技盤５の表面に対する入射角度を大きく設定、具体的には、発射球の移動方向を遊技盤５の表面に沿うように設定しているので、仮に、遊技領域８へ飛入した発射球が遊技盤５の表面に衝突したとしても、この発射球は前方へ弾み難い。したがって、遊技領域８の前方の透明部材１２に衝突し難い。これにより、遊技盤５の損傷または透明部材１２の損傷を抑制することができる。
【００３８】
また、透明部材１２は、平板を前方に凹ませた凹部を有し、該凹部によって発射領域１１及び傾斜流路２５を覆うように構成したので、透明部材１２の強度を凹部によって高めることができる。さらに、凹部の側壁に沿わせて誘導部材１８を設け、凹部の側壁は、誘導部材１８の当接位置Ｐ１と対向する部分を外方に凹ませることにより、誘導部材１８との間に空隙部４０を形成したので、凹部の側壁における誘導部材１８の当接位置Ｐ１と対向する部分が空部となる。したがって、側壁が直接に発射球の衝撃力を受けるのではなく、この凹部の上方または下方の壁面で衝撃力を分散して受けることができ、これにより側壁に伝わる衝撃を和らげることができる。また、両側の壁面同士（凹部の溝内面同士）が単に離れているのでなく、誘導部材１８との間に空隙部４０を形成するように凹んでいるので、透明部材１２に凹部を形成したことにより増した強度を損なうことなく、発射球の衝撃力を凹部全体で受けることができ、透明部材１２の耐久性が向上する。
【００３９】
ところで、上記実施形態では、誘導部材１８は、発射領域１１の上半部分と傾斜流路２５の一側部に設けられたが、本発明はこれに限定されず、少なくとも発射領域１１と傾斜流路２５の一側部に設けられれば、どのような長さに設定されてもよい。例えば、誘導部材１８の上端部を円弧状に延長して、区画部材７のうち遊技領域８を挟んで発射領域１１とは反対側の区画縁部（内側縁部）に沿わせてもよい。
【００４０】
また、上記実施形態では、遊技領域８の前方に発射領域１１を配置して発射領域１１と遊技領域８とを重層したが、本発明はこれに限定されない。要は、発射領域と遊技領域とが前後に重層していればよい。したがって、遊技盤の前面側に遊技領域を区画形成し、遊技盤の後方に発射領域を配置（重層）し、発射領域の上端部を遊技盤に貫通して遊技領域に連通してもよい。すなわち、発射領域の一端部（上端部）を遊技領域の前方に配置し、他端部（下端部）を遊戯旅域の後方に配置して発射領域と遊技領域とを重層してもよい。
【００４１】
そして、上記実施形態では、代表的な遊技機であるパチンコ遊技機を例にして説明したが、本発明はこれに限らず、発射位置から発射された発射球が通過する発射領域と、遊技盤の表面に区画形成された遊技領域とを前後に重層させ、発射領域と遊技領域とを平板状の透明部材で前方から覆い、発射領域の先端に傾斜流路を接続し、該傾斜流路の終端を遊技領域に接続させた遊技機であればどのような遊技機でもよい。例えば、アレンジボール式遊技機、雀球式遊技機等の遊技機であってもよい。
【００４２】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４３】
【図１】透明部材保持枠および貯留皿ユニットを開放した状態におけるパチンコ遊技機の斜視図である。
【図２】透明部材保持枠の正面図である。
【図３】透明部材ユニットの分解斜視図である。
【図４】開状態の透明部材保持枠における発射領域の拡大斜視図である。
【図５】誘導部材の上端部を止着する部分の拡大斜視図である。
【図６】誘導部材の下端部を止着する部分の拡大斜視図である。
【図７】弾力調整部材を止着した誘導部材の正面図および部分断面図である。
【図８】図２における透明部材ユニットのＡ−Ａ断面図である。
【図９】発射装置とその周囲の斜視図である。
【図１０】図２における透明ユニットの部分断面図であり、（ａ）はＢ−Ｂ断面図、（ｂ）はＣ−Ｃ断面図、（ｃ）はＤ−Ｄ断面図、（ｄ）はＥ−Ｅ断面図である。
【図１１】誘導部材に誘導される遊技球の挙動を示す概略図である。
【符号の説明】
【００４４】
１  パチンコ遊技機
３  前面枠
５  遊技盤
７  区画部材
８  遊技領域
９  透明部材保持枠
１０  透明部材ユニット
１１  発射領域
１２  透明部材
１４  貯留皿ユニット
１５  発射装置
１６  発射操作ユニット
１８  誘導部材
２０  背当て部材
２１  前後傾斜面
２５  傾斜流路
３４  第１傾斜部
３５  第２傾斜部
３６  誘導維持部
４０  空隙部
６２  発射ベース
６３  打球発射杵
６５  回動規制部
６９  球送り流路
【図１】
2008023143.tif 000003
【図２】
2008023143.tif 000004
【図３】
2008023143.tif 000005
【図４】
2008023143.tif 000006
【図５】
2008023143.tif 000007
【図６】
2008023143.tif 000008
【図７】
2008023143.tif 000009
【図８】
2008023143.tif 000010
【図９】
2008023143.tif 000011
【図１０】
2008023143.tif 000012
【図１１】
2008023143.tif 000013